(57)【要約】      （修正有）【課題】前後側壁側のパックの支持構造を簡素で丈夫なものとした中仕切付きトレーを提供する。【解決手段】中仕切付きトレー２００は、底面１の四方に左右側壁２Ａと、前後側壁３Ａが立設された直方の皿状に形成され、上部は開放されている。なお、左右側壁２Ａは、一枚の壁で、前後側壁３Ａは、二重壁である。そして、４個のパックをそれぞれ収納するため、横仕切２１と縦仕切２７を十字型に組み合わせた中仕切２０が装着されている。中仕切２０によって区画される４個のエリアはそれぞれ同じで、パックが丁度装入できる大きさとなっている。前後側壁３Ａの内壁面の左右両端には、トレーの四隅において折り曲げて左右側壁２Ａに斜めに当接する支持片５が立設され、前後側壁３Ａの中央部には、内壁３ａを切り欠いて形成された支持片６と吊持片７が設けられている。【選択図】図１
0003193465.tif 000002
【実用新案登録請求の範囲】
【請求項１】
十字型の中仕切りを装着して青果物用パック３００を４個底面から浮かせて収納するようにした一枚の段ボールを折り上げて作られる中仕切り付きトレーにおいて、二重壁を形成する二重折り目Ｃを備えた側壁片３と、二重壁の間隙に挿嵌する差込片４が連設された側壁片２とが、底面１の四辺に対向して連設され、該パック３００は、横縁３２の一方を中仕切の支持片２３に掛架し、対向する横縁３２を前後側壁の内壁片３ａに形成した支持片６に掛架するとともに内壁片３ａ左右端に連設した隅部に斜めに形成される支持片５で掛架して支持するようにしたもので、該支持片６は、内壁片３ａの中央部の切欠き１２によって吊持片７に連設されて斜め上方に向けて形成されたことを特徴とする中仕切付きトレー。
【請求項２】
前記前後側壁の頂面を形成する二重折り目部の左右２箇所に山形状に曲がる折り目Ｑを設けて、突片１３を設けたことを特徴とする請求項１記載の中仕切付きトレー。
【考案の詳細な説明】
【技術分野】
【０００１】
本考案は青果物用パックを底面から浮かせて４個収納する段ボール製のトレーに関するものである。
【背景技術】
【０００２】
パックを底面から浮かせて収納する段ボール製のトレーは、種々開発されており、本件出願人も、先に、青果物用パックを４個収納する中仕切付きトレーについて開発している（特許文献１）。
【０００３】
特許文献１の中仕切りを備えたトレー５００は、図６に示すように、一枚の段ボールから折り上げられた一体形の箱の中に、十字型の中仕切り６０が挿嵌され、図５に示すパック３００を底面から浮かせて支持している。トレーは一重の左右側壁５２と二重壁の前後側壁５３とを備え、中仕切り６０は縦仕切片６１と横仕切片６２とで十字型に組み合わせている。
パック３００の支持は、一方の横縁３２を横仕切片６２に形成された上方へ突出した支持片６３に掛架し、対向する横縁３２を前後側壁５３の内壁に形成される支持片５６に掛架している。そして、この支持片５６にはストッパ５７が連設され、段積みする際のズレや荷崩れを防止している。
【先行技術文献】
【特許文献】
【０００４】
【特許文献１】特開２００６-７６６１２号
【考案の開示】
【考案が解決しようとする課題】
【０００５】
特許文献１の中仕切りを備えたトレー５００は、中仕切６０で仕切られた各区画内でパックの両方の横縁３２を掛架するので、支持する長さが大きくパック３００を底面から浮かせた状態でも安定した支持ができる。しかしながら、前後側壁５３に形成する支持片５６は区画毎に形成する必要があり、しかも、ストッパ５７に連設しているので、複雑なものとなり、収納物の重量が想定外に大きいとストッパ５７が変形し支持機能が損なわれるという問題がある。
【０００６】
そこで、本考案は、前後側壁側のパックの支持を簡素で丈夫なものとした中仕切付きトレーを提供することを目的としている。
【課題を解決するための手段】
【０００７】
上記の目的を達成するため、本考案の中仕切を備えたトレーは、次のように構成した。すなわち、十字型の中仕切りを装着して青果物用パック３００を４個底面から浮かせて収納するようにした一枚の段ボールを折り上げて作られる中仕切り付きトレーにおいて、二重壁を形成する二重折り目Ｃを備えた側壁片３と、二重壁の間隙に挿嵌する差込片４が連設された側壁片２とが、底面１の四辺に対向して連設され、該パック３００は、横縁３２の一方を中仕切の支持片２３に掛架し、対向する横縁３２を前後側壁の内壁片３ａに形成した支持片６に掛架するとともに内壁片３ａ左右端に連設した隅部に斜めに形成される支持片５で掛架して支持するようにしたもので、該支持片６は、内壁片３ａの中央部の切欠き１２によって吊持片７に連設されて斜め上方に向けて形成されたことを特徴としている。
【０００８】
この中仕切付きトレーは、パックを底面から浮かせて支持する手段を改良したもので、パックの横縁の一方は、従来と同じく横仕切の支持片に掛架する。そして、横縁の他方を前後側壁の内壁である内壁片３ａの中央部に設けた切欠き１２よって形成された支持片６と、内壁片３ａの左右端に連設したトレーの隅部に斜めに形成される支持片５に掛架するものである。
支持片６は、その中央に前後側壁の上端から連設した吊持片７によって、斜め上方へ向けた状態を保持している。
段積みにおける位置決めおよび荷ズレを防止するストッパは、請求項２に記載のように、前後側壁の頂面を形成する二重折り目部の左右２箇所に山形状に曲がる折り目Ｑを設けて形成した突片１３が望ましい。
【考案の効果】
【０００９】
本考案の中仕切付きトレーは、二重壁の側壁片３と、側壁片２とが、底面１の四辺に対向して連設され、該パック３００は、横縁３２の一方を中仕切の支持片２３に掛架し、対向する横縁３２を前後側壁の内壁片３ａの中央に形成した支持片６に掛架するとともに内壁片３ａ左右端に連設した隅部に斜めに形成される支持片５で掛架して支持するようにしたので、内壁片が簡素なものとなり、かつ、パックをしっかリと保持できる。
【図面の簡単な説明】
【００１０】
【図１】本考案の中仕切付きトレーの実施の形態を示す全体斜視図である。
【図２】中仕切付きトレー２００の展開図で、段ボール１００Ａである。
【図３】図２のＺ部の拡大図である。
【図４】同上、前後側壁３部の拡大図である。
【図５】パック３００の斜視図である。
【図６】従来の中仕切付きトレーの全体斜視図である。
【考案を実施するための最良の形態】
【００１１】
本考案の中仕切付きトレーの実施の形態を、図１〜図４に基づいて説明する。
図１は十字型の中仕切付きトレー２００の斜視図である。図２は、中仕切付きトレー２００の展開図で、段ボール１００である。図３は、図２のＺ部の拡大図で、図４は中仕切２０を外した状態における前後側壁３の要部拡大図である。
【００１２】
パック３００は、青果物用の収納容器として従来から広く使用されているもので、図５に示すように、合成樹脂製の透明な皿状の形態をしており、底３１、横縁３２、隅縁３３、縦縁３４および周壁３５から構成されている。パック３００の大きさは、ここでは、１１５ｍｍ×１６５ｍｍ×３７ｍｍのものを使用している。
【００１３】
中仕切付きトレー２００は、図１に示すように、底面１の四方に左右側壁２Ａと、前後側壁３Ａが立設された直方の皿状に形成され、上部は開放されている。なお、左右側壁２Ａは、一枚の壁で、前後側壁３Ａは、二重壁である。中仕切付きトレー２００の大きさは、ここでは、２４０ｍｍ×３６０ｍｍ×７５ｍｍとしている。
そして、４個のパック３００をそれぞれ収納するため、横仕切２１と縦仕切２７を十字型に組み合わせた中仕切２０が装着されている。中仕切２０によって区画される４個のエリアはそれぞれ同じで、パック３００が丁度装入できる大きさとなっている。
【００１４】
前後側壁３Ａの内壁面の左右両端には、トレーの四隅において折り曲げて左右側壁２Ａに斜めに当接する支持片５が立設され、前後側壁３Ａの中央部には、内壁３ａを切り欠いて形成された支持片６と吊持片７が設けられている。
また、前後側壁３Ａの上端縁には突片１３がそれぞれ２個設けられ、底部の縁部には突片１３が嵌合する係止穴９が設けられている。
【００１５】
この中仕切付きトレー２００は、図２に示した一枚の段ボール１００を、折り目に沿って折り曲げることによって、組み立てられる。
ここでは、図２に示す、ほぼ矩形状をした段ボール１００の側壁３、３方向を上下方向、側壁２、２方向を左右方向として説明する。
【００１６】
段ボール１００は、トレー部分を構成する連設された部材と、トレー内に付設する中仕切とからなる。トレー部分は、ほぼ中央に形成された矩形の底面１と、主折り目Ａ，Ｂを介して連設された左右一対の側壁片２と、前後一対の側壁片３とからなり、中仕切２０は、横仕切２１と縦仕切２７とからなる。
【００１７】
段ボール１００の中央部の左右方向に主折り目Ａを上下に設け、前後方向に主折り目Ｂを設け、主折り目Ａと主折り目Ｂで囲まれた中央部を占める矩形域を底面１とする。そして、主折り目Ａの外側に左右側壁２Ａとなる側壁片２、２を連設し、主折り目Ｂの外側に二重壁の前後側壁３Ａとなる側壁片３、３を連設している。
側壁片２の上下端には差込片４がそれぞれ連設されており、差込片４の外側に縦の折り目Ｅを設けて支持片４ａ、４ｂを連設している。
【００１８】
側壁片３は、主折り目Ｂと平行な２重折り目Ｃを設けて内壁となる内壁片３ａと外壁となる外壁片３ｂとに分け、二重折り目Ｃの部分には、突片１３を形成する折り目Ｐ、Ｑ、Ｒと切れ目ｒを設けている。
内壁片３ａは、図３に示すように、両端に折り目Ｊと切れ目ｇを設けて支持片５を形成し、中央には切欠き１２と折り目Ｆ、Ｇ、Ｈによって支持片６と吊持片７を形成している。また、内壁片３ａの上端縁には左右に係止片８を設け、これに対向して主折り目Ｂに係止穴９を設けている。
【００１９】
トレーの部分は以上のように構成され、これに、中仕切２０が連設されている。
すなわち、下側の前後側壁３Ａの内壁片３ａに連接して横仕切２１が設けられ、さらにこれに連設して縦仕切２７が設けられている。
横仕切２１は中央に左右方向に切れ目ｋと切れ目ｍと、左右端および中央部に折り目Ｌと折り目Ｍと切れ目ｎが形成され、中央部に縦方向に切欠き２４が設けられている。  縦仕切り２７は、トレーと同じ高さの平板状のもので、中央部の２箇所に切欠き２７ａを設けている。
【００２０】
次に、段ボール１００から中仕切付きトレー２００へ折り上げる手順について説明する。
底面１を囲むようにして、左右の側壁片２、２と上下の側壁片３、３をそれぞれ主折り目Ａ、Ｂの位置から起立させるが、先ず、側壁２、２を主折り目Ａの位置から底面１に対して直角に起立させ、次に、上下および左右の差込片４を折り目Ｄの位置から内方へ直角に曲げ、次いで、差込片４の支持片４ａ、４ｂを内方へ直角に曲げる。
【００２１】
次に、側壁片３、３を主折り目Ｂを折り曲げて底面１に対して直角に起立させる。そして、内壁片３ａを二重折り目Ｃの位置から内方へ曲げながら差込片４を内壁片３ａと外壁片３ｂの間に挟むようにして折り込む。このようにして、前後側壁３Ａは、内壁片３ａを内壁とし、外壁片３ｂを外壁とする二重壁として形成される。この時、差込片４に設けた支持片４ａ、４ｂは、二重壁を形成する前後側壁３Ａの頂面１１に対し内側から当接して補強するので、トレーを段積みしても十分支持できる。
【００２２】
側壁片３、３を折り込む際、主折り目Ｂに次いで二重折り目Ｃの位置から内壁片３ａを内方へ折り曲げるが、この時、支持片５を折り目Ｊの位置から折り曲げ、支持片５の先端部を開き気味に側壁片２、２に当接させながら折り込む。これにより、パック３００を掛架支持する支持片５がトレーの四隅に形成される。この支持片５が開き気味に内方から側壁片２、２に当接するのは、支持片５の一辺が切れ目ｇに沿って切り離されることと、支持片５の左右の先端が主折り目Ａから外方にはみ出ているからである。
【００２３】
次に、支持片６と吊持片７の形成について説明する。支持片６と吊持片７との輪郭は、中央部の左右に設けた切欠き１２によって形成される。そして、折り目Ｆを谷折りすることにより、支持片６が前後側壁３Ａの内壁面に斜め上方へ向いて形成される。そして、吊持片７は支持片６の中央部を吊持する。
【００２４】
次に、中仕切り２０を折り上げる手順について説明する。先ず、横仕切り２１の折り目Ｌ、Ｍを下方へ二つ折りに折り曲げると、切れ目ｋ、ｍに沿って、横仕切片２１ａと横仕切２１ｂが直角に起立しパック３００を掛架支持する支持片２３が形成される。そして、両端部と中央部は平らな頂面２５，２６が形成される。これに、縦仕切片２７を直角方向にして中央部の切欠き２７ａを横仕切２１の切欠き２４に上から連結すれば、十字形の中仕切り２０ができ上がる。
【００２５】
中仕切２０は、トレーに装着するが、横仕切片２１の左右の先端が左右側壁２Ａに当接し、縦仕切片２７の前後の先端は、前後側壁３Ａの吊持片７に当接して位置決めされる。なお、縦仕切２７の両端の端縁２７ｂは吊持片７の内側への膨らみに沿うように削られた形状としている。
【００２６】
これで、中仕切付きトレー２００は、完成するが、これに、パック３００を装着する場合は、パック３００の横縁３２の一方を中仕切２０の横仕切２１の支持片２３に掛架する。そして、支持した横縁３２の対向する横縁３２側を支持片６と支持片５に支持させる。支持片６は斜め上方へ向くとともに、吊持片７で保持されているので、パック３００は底面１から浮かせ状態で安定して保持される。
【００２７】
なお、上記の実施の形態においては、中仕切付きトレー２００にパック３００を装着した図を省略したが、従来の中仕切付きトレー５００におけるパック３００の装着状態を示す図６から類推できるものと思われる。また、発明の内容をより理解しやすくするために、トレーおよびパックの大きさを寸法を示して説明したが、これに限定するものでないことは当然である。
【符号の説明】
【００２８】
１００  段ボール
２００  中仕切付きトレー
３００  パック
５００  中仕切付きトレー
１  底面
２Ａ  左右側壁
２  側壁片（左右）
３Ａ  前後側壁
３  側壁片（前後）
３ａ  内壁片
３ｂ  外壁片
４  差込片
４ａ  支持片
４ｂ  支持片
５  支持片
６  支持片
７  吊持片
８  係止片
９  係止穴
１１  頂面
１２  切欠き
１３  突片
２０  中仕切
２１  横仕切
２１ａ 横仕切片
２１ｂ 横仕切片
２３  支持片
２４  切欠き
２５  頂面
２６  頂面
２７  縦仕切片
２７ａ  切欠き
２７ｂ  端縁
３１  底
３２  横縁
３３  隅縁
３４  縦縁
３５  周壁
５１  底面
５２  左右側壁
５３  前後側壁
５６  支持片
５７  ストッパ
６０  中仕切
６１  縦仕切
６２  横仕切
６３  支持片
Ａ、Ｂ  主折り目
Ｃ  二重折り目
Ｄ、Ｅ、Ｆ  折り目 
Ｇ、Ｈ、Ｊ  折り目
Ｌ、Ｍ  折り目
Ｐ、Ｑ、Ｒ  折り目
ｆ、ｇ、ｈ、ｊ  切れ目
ｋ、ｍ、ｎ、ｒ  切れ目
【図１】
0003193465.tif 000003
【図２】
0003193465.tif 000004
【図３】
0003193465.tif 000005
【図４】
0003193465.tif 000006
【図５】
0003193465.tif 000007
【図６】
0003193465.tif 000008